(57)【要約】      （修正有）【課題】片手で容易に操作可能な差し込みバックルを提供する。【解決手段】差し込みバックルは、留め具１と、バックル本体２と、弾き出し部材５と、第１の押圧ボタンと、第２の押圧ボタンとを含む。第２の押圧ボタンは収容室２１内に収容されて、第１の押圧ボタンに対して反対側又は後方に移動し、第２の弾性部材７によってリセットするように駆動され、第１の押圧ボタンと第２の押圧ボタンは引掛孔を囲み、接続部１１が収容室に挿入された後に引掛孔に係合され、第１の押圧ボタンと第２の押圧ボタンを片手で同時に押圧すると、引掛孔の幅が増加し、接続部が引掛孔から分離し、弾き出し部材が接続部を駆動して収容室から弾き出す。【選択図】図１
0003226781.tif 000002
【実用新案登録請求の範囲】
【請求項１】
差し込みバックルであって、留め具を含み、
前記留め具に接続部が設けられ、
さらに、バックル本体と、弾き出し部材と、第１の押圧ボタンと、第２の押圧ボタンとを含み、
前記バックル本体内に収容室が設けられ、前記バックル本体に前記接続部に適合する挿入口が設けられ、当該挿入口は前記収容室に連通し、
前記弾き出し部材は前記収容室の前記挿入口に正対する内壁面に固設され、前記接続部が前記収容室に挿入されると、前記弾き出し部材は前記接続部に当接し、
前記第１の押圧ボタンは前記収容室内に可動に収容され、第１の弾性部材によってリセットするように駆動され、
前記第２の押圧ボタンは前記収容室内に可動に収容され、前記第１の押圧ボタンに対して反対側又は後方に移動し、前記第２の押圧ボタンは、第２の弾性部材によってリセットするように駆動され、前記第１の押圧ボタンと前記第２の押圧ボタンは引掛孔を囲み、前記接続部が前記収容室に挿入された後に前記引掛孔に係合され、前記第１の押圧ボタンと前記第２の押圧ボタンを同時に押圧すると、前記引掛孔の幅が増加し、前記接続部が前記引掛孔から分離し、前記弾き出し部材が前記接続部を駆動して前記収容室から弾き出し、前記第１の押圧ボタンと前記第２の押圧ボタンが力を受けない場合、前記第１の弾性部材は前記第１の押圧ボタンをリセットするように駆動し、前記第２の弾性部材は前記第２の押圧ボタンをリセットするように駆動し、前記引掛孔の幅が元に戻ること、を特徴とする差し込みバックル。
【請求項２】
前記第１の押圧ボタンは、第１の押圧部材と、第１の留め具とを含み、前記第１の留め具は、第１のスライドプレートと、第１のストッパと、第１の係合部材とを含み、前記第１のスライドプレートは前記収容室内に可動に限定され、前記第１のストッパは前記第１のスライドプレートの一端に固設され、前記第１の係合部材は前記第１のスライドプレートの他端に固設される。前記第２の押圧ボタンは、第２の押圧部材と、第２の留め具とを含み、前記第２の留め具は、前記第１の留め具に逆さまに設けられ、第２のスライドプレートと、第２のストッパと、第２の係合部材とを含み、前記第２のスライドプレートは前記収容室内に可動に限定され、前記第２のストッパは前記第２のスライドプレートの一端に固設され、前記第２の係合部材は前記第２のスライドプレートの他端に固設されること、を特徴とする請求項１に記載の差し込みバックル。
【請求項３】
前記第１のストッパ、前記第２の係合部材、前記第１の係合部材及び前記第２のストッパは、順に配列され、前記第１のストッパは、前記収容室の側壁に可動に限定され、前記第１の押圧部材は、前記第１のストッパに固設されて前記収容室の側壁を貫通し、前記第２のストッパは、前記収容室の他方の側壁に可動に限定され、前記第２の押圧部材は、前記第２のストッパに固設されて前記収容室の他方の側壁を貫通し、前記第１の弾性部材は一端が前記第１のストッパに接続され、他端が前記第２の係合部材に接続され、前記第２の弾性部材は一端が前記第２のストッパに接続され、他端が前記第１の係合部材に接続され、前記引掛孔は、前記第１の係合部材と前記第２の係合部材に囲まれて形成され、前記接続部は、前記挿入口を介して前記引掛孔に挿入されて第１の係合部材及び前記第２の係合部材に係合され、前記第１の押圧部材と前記第２の押圧部材を同時に押圧すると、前記第１の係合部材と前記第２の係合部材が互いに離れ、前記引掛孔の幅が増大し、前記接続部が前記第１の係合部材と前記第２の係合部材から離れること、を特徴とする請求項２に記載の差し込みバックル。
【請求項４】
前記接続部の一方の側に第１の係合溝が設けられ、他方の側に第２の係合溝が設けられ、前記第１の係合溝及び前記第２の係合溝は、いずれも係合平面及び係合斜面を有し、前記係合平面は前記接続部の側辺に垂直であり、前記係合斜面と前記係合平面は角度をなすこと、を特徴とする請求項２又は請求項３に記載の差し込みバックル。
【請求項５】
前記第１の係合部材の内側面に前記第１の係合溝に適合する第１の係合突起が設けられ、前記第２の係合部材の内側面に前記第２の係合溝に適合する第２の係合突起が設けられること、を特徴とする請求項４に記載の差し込みバックル。
【請求項６】
前記第１のストッパの内側面に第１の位置決めポストが設けられ、前記第２の係合部材の外側面に第２の位置決めポストが設けられ、前記第１の弾性部材は一端が前記第１の位置決めポストに嵌合され、他端が第２の位置決めポストに嵌合され、前記第２のストッパの内側面に第３の位置決めポストが設けられ、前記第１の係合部材の外側面に第４の位置決めポストが設けられ、前記第２の弾性部材は一端が前記第３の位置決めポストに嵌合され、他端が前記第４の位置決めポストに嵌合されること、を特徴とする請求項２又は請求項３に記載の差し込みバックル。
【請求項７】
前記バックル本体の２つの対向する側壁に第１の押圧孔と第２の押圧孔がそれぞれ設けられ、前記第１の押圧部材は前記第１の押圧孔から突出し、前記第１のストッパは前記第１の押圧孔の内側にストッピングされ、前記第２の押圧部材は前記第２の押圧孔から突出し、前記第２のストッパは前記第２の押圧孔の内側にストッピングされること、を特徴とする請求項２又は請求項３に記載の差し込みバックル。
【請求項８】
前記バックル本体は、筐体と、底部カバーとを含み、前記筐体の底部に閉蓋口が設けられ、前記底部カバーは前記閉蓋口を閉蓋し、前記底部カバーの内側面に装着位置決めポストが設けられ、前記筐体に装着位置決めポストと適合する位置決め孔が設けられること、を特徴とする請求項１〜３又は請求項５のいずれか１項に記載の差し込みバックル。
【請求項９】
前記挿入口の周縁にガイド突起が設けられ、前記接続部にガイド溝が設けられ、前記ガイド溝は前記ガイド突起と適合すること、を特徴とする請求項１〜３のいずれか１項に記載の差し込みバックル。
【請求項１０】
前記接続部の挿入端の両側にいずれも丸み部が設けられること、を特徴とする請求項１〜３のいずれか１項に記載の差し込みバックル。
【考案の詳細な説明】
【技術分野】
【０００１】
本考案は、接続バックルの技術分野に属し、特に、差し込みバックルに関する。
【背景技術】
【０００２】
差し込みバックルは、２つの物品を緊締するためのものである。差し込みバックルは、ウエストベルト、ペット用ベルト、シートベルトなど、多くの用途がある。
【０００３】
従来技術の差し込みバックルは、バックル本体と留め具で構成され、留め具の両側に弾性係合アームが一体に成形される。バックル本体は中空構造であり、２つの側壁にも係合孔が設けられる。接続するとき、留め具がバックル本体に挿入され、２つの弾性係合アームがそれぞれ２つの係合孔に係合される。バックル本体と留め具が分離するとき、片手で２つの弾性係合アームを押圧して、もう一方の手で留め具を同時にバックル本体から引き抜く必要がある。したがって、このような差し込みバックルは、バックル本体と留め具を分離するために両手で同時に操作する必要があり、使いにくい。
【考案の概要】
【考案が解決しようとする課題】
【０００４】
本考案は、従来技術における差し込みバックルのバックル本体と留め具を分離するために両手で同時に操作する必要があり、使いにくいという技術的課題を解決するための差し込みバックルを提供することを目的とする。
【課題を解決するための手段】
【０００５】
上記目的を達成するために、本考案が提供する差し込みバックルは、留め具を含み、
前記留め具に接続部が設けられ、
当該差し込みバックルは、さらに、バックル本体と、弾き出し部材と、第１の押圧ボタンと、第２の押圧ボタンとを含み、
前記バックル本体内に収容室が設けられ、前記バックル本体に前記接続部に適合する挿入口が設けられ、当該挿入口は前記収容室に連通し、
前記弾き出し部材は前記収容室の前記挿入口に正対する内壁面に固設され、前記接続部が前記収容室に挿入されると、前記弾き出し部材は前記接続部に当接し、
前記第１の押圧ボタンは前記収容室内に可動に収容され、第１の弾性部材によってリセットするように駆動され、
前記第２の押圧ボタンは前記収容室内に可動に収容され、前記第１の押圧ボタンに対して反対側又は後方に移動し、前記第２の押圧ボタンは、第２の弾性部材によってリセットするように駆動され、前記第１の押圧ボタンと前記第２の押圧ボタンは引掛孔を囲み、前記接続部が前記収容室に挿入された後に前記引掛孔に係合され、前記第１の押圧ボタンと前記第２の押圧ボタンを同時に押圧すると、前記引掛孔の幅が増加し、前記接続部が前記引掛孔から分離し、前記弾き出し部材が前記接続部を駆動して前記収容室から弾き出し、前記第１の押圧ボタンと前記第２の押圧ボタンが力を受けない場合、前記第１の弾性部材は前記第１の押圧ボタンをリセットするように駆動し、前記第２の弾性部材は前記第２の押圧ボタンをリセットするように駆動し、前記引掛孔の幅が元に戻る。
【０００６】
好ましくは、前記第１の押圧ボタンは、第１の押圧部材と、第１の留め具とを含み、前記第１の留め具は、第１のスライドプレートと、第１のストッパと、第１の係合部材とを含み、前記第１のスライドプレートは前記収容室内に可動に限定され、前記第１のストッパは前記第１のスライドプレートの一端に固設され、前記第１の係合部材は前記第１のスライドプレートの他端に固設される。前記第２の押圧ボタンは、第２の押圧部材と、第２の留め具とを含み、前記第２の留め具は、前記第１の留め具に逆さまに設けられ、第２のスライドプレートと、第２のストッパと、第２の係合部材とを含み、前記第２のスライドプレートは前記収容室内に可動に限定され、前記第２のストッパは前記第２のスライドプレートの一端に固設され、前記第２の係合部材は前記第２のスライドプレートの他端に固設される。
【０００７】
好ましくは、前記第１のストッパ、前記第２の係合部材、前記第１の係合部材及び前記第２のストッパは、順に配列され、前記第１のストッパは、前記収容室の側壁に可動に限定され、前記第１の押圧部材は、前記第１のストッパに固設されて前記収容室の側壁を貫通し、前記第２のストッパは、前記収容室の他方の側壁に可動に限定され、前記第２の押圧部材は、前記第２のストッパに固設されて前記収容室の他方の側壁を貫通し、前記第１の弾性部材は一端が前記第１のストッパに接続され、他端が前記第２の係合部材に接続され、前記第２の弾性部材は一端が前記第２のストッパに接続され、他端が前記第１の係合部材に接続され、前記引掛孔は、前記第１の係合部材と前記第２の係合部材に囲まれて形成され、前記接続部は、前記挿入口を介して前記引掛孔に挿入されて第１の係合部材及び前記第２の係合部材に係合され、前記第１の押圧部材と前記第２の押圧部材を同時に押圧すると、前記第１の係合部材と前記第２の係合部材が互いに離れ、前記引掛孔の幅が増大し、前記接続部が前記第１の係合部材と前記第２の係合部材から離れる。
【０００８】
好ましくは、前記接続部の一方の側に第１の係合溝が設けられ、他方の側に第２の係合溝が設けられ、前記第１の係合溝及び前記第２の係合溝は、いずれも係合平面及び係合斜面を有し、前記係合平面は前記接続部の側辺に垂直であり、前記係合斜面と前記係合平面は角度をなす。
【０００９】
好ましくは、前記第１の係合部材の内側面に前記第１の係合溝に適合する第１の係合突起が設けられ、前記第２の係合部材の内側面に前記第２の係合溝に適合する第２の係合突起が設けられる。
【００１０】
好ましくは、前記第１のストッパの内側面に第１の位置決めポストが設けられ、前記第２の係合部材の外側面に第２の位置決めポストが設けられ、前記第１の弾性部材は一端が前記第１の位置決めポストに嵌合され、他端が第２の位置決めポストに嵌合され、前記第２のストッパの内側面に第３の位置決めポストが設けられ、前記第１の係合部材の外側面に第４の位置決めポストが設けられ、前記第２の弾性部材は一端が前記第３の位置決めポストに嵌合され、他端が前記第４の位置決めポストに嵌合される。
【００１１】
好ましくは、前記バックル本体の２つの対向する側壁に第１の押圧孔と第２の押圧孔がそれぞれ設けられ、前記第１の押圧部材は前記第１の押圧孔から突出し、前記第１のストッパは前記第１の押圧孔の内側にストッピングされ、前記第２の押圧部材は前記第２の押圧孔から突出し、前記第２のストッパは前記第２の押圧孔の内側にストッピングされる。
【００１２】
好ましくは、前記バックル本体は、筐体と、底部カバーとを含み、前記筐体の底部に閉蓋口が設けられ、前記底部カバーは前記閉蓋口を閉蓋し、前記底部カバーの内側面に装着位置決めポストが設けられ、前記筐体に装着位置決めポストと適合する位置決め孔が設けられる。
【００１３】
好ましくは、前記挿入口の周縁にガイド突起が設けられ、前記接続部にガイド溝が設けられ、前記ガイド溝は前記ガイド突起と適合する。
【００１４】
好ましくは、前記接続部の挿入端の両側にいずれも丸み部が設けられる。
【考案の効果】
【００１５】
本考案の実施例が提供する差し込みバックルにおける上記１つ又は複数の技術的解決手段は、当該差し込みバックルを使用するとき、接続部が前記収容室に挿入された後、前記引掛孔に係合され、留め具がバックル本体と嵌合するか、前記第１の押圧ボタンと前記第２の押圧ボタンを同時に押圧すると、前記引掛孔の幅が増加し、前記接続部が前記引掛孔から分離し、前記弾き出し部材が前記接続部を駆動して前記収容室から弾き出すか、又は留め具とバックル本体が分離され、操作するとき、第１の押圧ボタンと前記第２の押圧ボタンを片手で同時に押圧すればよく、弾き出し部材は自動的に留め具を弾き出し、操作がより容易で、実用性が高い。
【図面の簡単な説明】
【００１６】
本考案の実施例における技術的解決手段をより明確に説明するために、以下、実施例又は従来技術の記述に必要な図面を簡単に説明するが、当然ながら、以下の記述における図面は本考案のいくつかの実施例に過ぎず、当業者であれば、創造的な労力を要することなく、これらの図面に基づいて他の図面に想到し得る。
【図１】本考案の実施例が提供する差し込みバックルの断面図である。
【図２】本考案の実施例が提供する差し込みバックルの他の断面図である。
【図３】本考案の実施例が提供する差し込みバックルの分解図である。
【図４】本考案の実施例が提供する差し込みバックルの立体図である。
【図５】本考案の実施例が提供する留め具の概略構造図である。
【図６】本考案の実施例が提供する筐体の概略構造図である。
【考案を実施するための形態】
【００１７】
以下、本考案の実施例を詳細に説明するが、前記実施例の例は図面に示されており、同一又は類似の参照番号は、同一又は類似の要素、または同一又は類似の機能を有する要素を指す。以下、図面を参照して記述する実施例は、例示的なものであり、本考案の実施例を説明するためのものであり、本考案を限定するものではないと解釈すべきである。
【００１８】
図１〜図６に示すように、本考案が提供する差し込みバックルは、留め具１と、バックル本体２と、弾き出し部材５と、第１の押圧ボタン３と、第２の押圧ボタン４とを含む。
【００１９】
前記留め具１に接続部１１が設けられ、前記接続部１１と前記留め具1との接続関係は、一体成形、溶接、螺接、鋲接などの接続手段であってもよい。
【００２０】
前記バックル本体２内に収容室２１が設けられ、前記バックル本体２に前記接続部１１に適合する挿入口２１１が設けられ、当該挿入口２１１は前記収容室２１に連通する。
【００２１】
前記弾き出し部材５は前記収容室２１の内壁面に固設され、前記接続部１１が前記収容室２１に挿入されると、前記弾き出し部材５は前記接続部１１に当接する。具体的には、前記弾き出し部材５は円弧状の弾性片である。
【００２２】
前記第１の押圧ボタン３は前記収容室２１内に可動に収容され、第１の弾性部材６によってリセットするように駆動される。具体的には、第１の弾性部材６はスプリングであってもよい。
【００２３】
前記第２の押圧ボタン４は前記収容室２１内に可動に収容され、前記第１の押圧ボタン３に対して反対側又は後方に移動し、前記第２の押圧ボタン４は、第２の弾性部材７によってリセットするように駆動される。具体的には、第２の弾性部材７はスプリングであってもよい。前記第１の押圧ボタン３と前記第２の押圧ボタン４は引掛孔２１２を囲み、前記接続部１１が前記収容室２１に挿入された後に前記引掛孔２１２に係合され、前記第１の押圧ボタン３と前記第２の押圧ボタン４を同時に押圧すると、前記引掛孔２１２の幅が増加し、前記接続部１１が前記引掛孔２１２から分離し、前記弾き出し部材５が前記接続部１１を駆動して前記収容室２１から弾き出し、前記第１の押圧ボタン３と前記第２の押圧ボタン４が力を受けない場合、前記第１の弾性部材６は前記第１の押圧ボタン３をリセットするように駆動し、前記第２の弾性部材７は前記第２の押圧ボタン４をリセットするように駆動し、前記引掛孔２１２の幅が元に戻る。
【００２４】
当該差し込みバックルを使用するとき、接続部１１が前記収容室２１に挿入された後、前記引掛孔２１２に係合され、留め具１がバックル本体２と嵌合する。前記第１の押圧ボタン３と前記第２の押圧ボタン４を同時に押圧すると、前記引掛孔２１２の幅が増加し、前記接続部１１が前記引掛孔２１２から分離し、前記弾き出し部材５が前記接続部１１を駆動して前記収容室２１から弾き出す、留め具１とバックル本体２が分離され、操作するとき、第１の押圧ボタン３と前記第２の押圧ボタン４を片手で同時に押圧すればよく、弾き出し部材５は自動的に留め具１を弾き出し、操作がより容易で、実用性が高い。
【００２５】
本考案の他の実施例では、図１〜図３に示すように、当該差し込みバックルの前記第１の押圧ボタン３は、第１の押圧部材３１と、第１の留め具３２とを含み、前記第１の留め具３２は、第１のスライドプレート３２１と、第１のストッパ３２２と、第１の係合部材３２３とを含む。具体的には、第１のスライドプレート３２１、第１のストッパ３２２及び第１の係合部材３２３は、いずれも板状構造である。前記第１のスライドプレート３２１は前記収容室２１内に可動に限定され、前記第１のストッパ３２２は前記第１のスライドプレート３２１の一端に固設され、前記第１の係合部材３２３は前記第１のスライドプレート３２１の他端に固設される。前記第２の押圧ボタン４は、第２の押圧部材４１と、第２の留め具４２とを含み、前記第２の留め具４２は、前記第１の留め具３２に逆さまに設けられ、第２のスライドプレート４２１と、第２のストッパ４２２と、第２の係合部材４２３とを含む。具体的には、第２のスライドプレート４２１、第２のストッパ４２２及び第２の係合部材４２３は、いずれも板状構造である。前記第２のスライドプレート４２１は前記収容室２１内に可動に限定され、前記第２のストッパ４２２は前記第２のスライドプレート４２１の一端に固設され、前記第２の係合部材４２３は前記第２のスライドプレート４２１の他端に固設される。
【００２６】
本考案の他の実施例では、図１〜図３に示すように、当該差し込みバックルの前記第１のストッパ３２２、前記第２の係合部材４２３、前記第１の係合部材３２３及び前記第２のストッパ４２２は、順に配列され、前記第１のストッパ３２２は、前記収容室２１の側壁に可動に限定され、前記第１の押圧部材３１は、前記第１のストッパ３２２に固設されて前記収容室２１の側壁を貫通し、前記第２のストッパ４２２は、前記収容室２１の他方の側壁に可動に限定され、前記第２の押圧部材４１は、前記第２のストッパ４２２に固設されて前記収容室２１の他方の側壁を貫通し、前記第１の弾性部材６は一端が前記第１のストッパ３２２に接続され、他端が前記第２の係合部材４２３に接続され、前記第２の弾性部材７は一端が前記第２のストッパ４２２に接続され、他端が前記第１の係合部材３２３に接続され、前記引掛孔２１２は、前記第１の係合部材３２３と前記第２の係合部材４２３に囲まれて形成され、前記接続部１１は、前記挿入口２１１を介して前記引掛孔２１２に挿入されて第１の係合部材３２３及び前記第２の係合部材４２３に係合され、前記第１の押圧部材３１と前記第２の押圧部材４１を同時に押圧すると、前記第１の係合部材３２３と前記第２の係合部材４２３が互いに離れ、前記引掛孔２１２の幅が増大し、前記接続部１１が前記第１の係合部材３２３と前記第２の係合部材４２３から離れる。
【００２７】
本考案の他の実施例では、図１〜図３に示すように、当該差し込みバックルの接続部１１は挿入口２１１を介して引掛孔２１２に挿入して、第１の係合部材３２３及び第２の係合部材４２３に係合し、留め具１とバックル本体が係合固定される。第１の弾性部材６の弾性力は第２の係合部材４２３に作用し、第２の弾性部材７の弾性力は第１の係合部材３２３に作用し、第２の係合部材４２３と第１の係合部材３２３は接続部１１の両側に密着し、係合の状態を保つ。第１の押圧部材３１と第２の押圧部材４１を同時に押圧すると、第１の係合部材３２３と第２の係合部材４２３が互いに離れ、接続部１１は第１の係合部材３２３と第２の係合部材４２３から分離され、弾き出し部材５は接続部１１を弾き出し、留め具１とバックル本体２が分離する。
【００２８】
本考案の他の実施例では、図１と図５に示すように、当該差し込みバックルの前記接続部１１の一方の側に第１の係合溝１１１が設けられ、他方の側に第２の係合溝１１２が設けられ、前記第１の係合溝１１１及び前記第２の係合溝１１２は、いずれも係合平面１１１１及び係合斜面１１１２を有し、前記係合平面１１１１は前記接続部１１の側辺に垂直であり、前記係合斜面１１１２と前記係合平面１１１１は角度をなす。具体的には、上記の設置の目的は、前記接続部１１が前記第１の係合部材３２３及び前記第２の係合部材４２３に係合された後に、前記留め具１に引張力が加わった場合、前記接続部１１が前記第１の係合部材３２３及び前記第２の係合部材４２３から外れることがなく、接続が安定することである。
【００２９】
本考案の他の実施例では、図１と図５に示すように、当該差し込みバックルの前記第１の係合部材３２３の内側面に前記第１の係合溝１１１に適合する第１の係合突起３２３１が設けられ、前記第２の係合部材４２３の内側面に前記第２の係合溝１１２に適合する第２の係合突起４２３１が設けられる。具体的には、前記接続部１１が前記引掛孔２１２に挿入されると、その両側が前記第１の係合部材３２３と前記第２の係合部材４２３を外側に押して移動させ、続いて、前記第１の係合突起が前記第１の係合溝１１１に嵌合され、前記第２の係合突起４２３１が前記第２の係合溝１１２に嵌合され、前記接続部１１が前記引掛孔２１２に係合固定される。
【００３０】
本考案の他の実施例では、図１に示すように、当該差し込みバックルの前記第１のストッパ３２２の内側面に第１の位置決めポスト３２２１が設けられ、前記第２の係合部材４２３の外側面に第２の位置決めポスト４２３２が設けられ、前記第１の弾性部材６は一端が前記第１の位置決めポスト３２２１に嵌合され、他端が第２の位置決めポスト４２３２に嵌合され、前記第２のストッパ４２２の内側面に第３の位置決めポスト４２２１が設けられ、前記第１の係合部材３２３の外側面に第４の位置決めポスト３２３２が設けられ、前記第２の弾性部材７は一端が前記第３の位置決めポスト４２２１に嵌合され、他端が前記第４の位置決めポスト３２３２に嵌合される。具体的には、上記の設置の目的は、組み立て時、第１の弾性部材６及び第２の弾性部材７の取り付けが容易になり、かつ前記第１の弾性部材６及び第２の弾性部材７の装着時の位置決めが正確で、使用時に位置ずれしないことである。
【００３１】
本考案の他の実施例では、図４と図６に示すように、当該差し込みバックルの前記バックル本体２の２つの対向する側壁に第１の押圧孔２２と第２の押圧孔２３がそれぞれ設けられ、前記第１の押圧部材３１は前記第１の押圧孔２２から突出し、前記第１のストッパ３２２は前記第１の押圧孔２２の内側にストッピングされ、前記第２の押圧部材４１は前記第２の押圧孔２３から突出し、前記第２のストッパ４２２は前記第２の押圧孔２３の内側にストッピングされる。
【００３２】
本考案の他の実施例では、図３と図６に示すように、当該差し込みバックルの前記バックル本体２は、筐体２４と、底部カバー２５とを含み、前記筐体２４の底部に閉蓋口２４１が設けられ、前記底部カバー２５は前記閉蓋口２４１を閉蓋し、前記底部カバー２５の内側面に装着位置決めポスト２５１が設けられ、前記筐体２４に装着位置決めポスト２５１と適合する位置決め孔２４２が設けられる。具体的には、装着時に、装着位置決めポスト２５１が位置決め孔２４２に挿入し、位置決め機能を果たし、組み立てが正確である。
【００３３】
本考案の他の実施例では、図３と図５に示すように、当該差し込みバックルの前記挿入口２１１の周縁にガイド突起２１１１が設けられ、前記接続部１１にガイド溝１１４が設けられ、前記ガイド溝１１４は前記ガイド突起２１１１と適合する。具体的には、前記接続部１１が前記挿入口２１１に挿入されると、前記ガイド溝１１４と前記ガイド突起２１１１と合わせ、ガイド機能を果たす。
【００３４】
本考案の他の実施例では、図１に示すように、当該差し込みバックルの前記接続部１１の挿入端の両側にいずれも丸み部１１３が設けられる。具体的には、前記丸み部１１３の作用は、前記接続部１１は前記引掛孔２１２に挿入するとき、抵抗がより小さくなり、よりスムーズになることである。
【００３５】
上記の説明は、本考案の好ましい実施例に過ぎず、本考案を限定するものではなく、本考案の精神と原理内で行われるあらゆる修正、置換及び改良などは、いずれも本考案の保護範囲内に属する。
【図１】
0003226781.tif 000003
【図２】
0003226781.tif 000004
【図３】
0003226781.tif 000005
【図４】
0003226781.tif 000006
【図５】
0003226781.tif 000007
【図６】
0003226781.tif 000008
【手続補正書】
【提出日】令和2年3月27日(2020.3.27)
【手続補正１】
【補正対象書類名】実用新案登録請求の範囲
【補正対象項目名】全文
【補正方法】変更
【補正の内容】
【実用新案登録請求の範囲】
【請求項１】
差し込みバックルであって、留め具を含み、
前記留め具に接続部が設けられ、
さらに、バックル本体と、弾き出し部材と、第１の押圧ボタンと、第２の押圧ボタンとを含み、
前記バックル本体内に収容室が設けられ、前記バックル本体に前記接続部に適合する挿入口が設けられ、当該挿入口は前記収容室に連通し、
前記弾き出し部材は前記収容室の前記挿入口に正対する内壁面に固設され、前記接続部が前記収容室に挿入されると、前記弾き出し部材は前記接続部に当接し、
前記第１の押圧ボタンは前記収容室内に可動に収容され、第１の弾性部材によってリセットするように駆動され、
前記第２の押圧ボタンは前記収容室内に可動に収容され、前記第１の押圧ボタンに対して反対側又は後方に移動し、前記第２の押圧ボタンは、第２の弾性部材によってリセットするように駆動され、前記第１の押圧ボタンと前記第２の押圧ボタンは引掛孔を囲み、前記接続部が前記収容室に挿入された後に前記引掛孔に係合され、前記第１の押圧ボタンと前記第２の押圧ボタンを同時に押圧すると、前記引掛孔の幅が増加し、前記接続部が前記引掛孔から分離し、前記弾き出し部材が前記接続部を駆動して前記収容室から弾き出し、前記第１の押圧ボタンと前記第２の押圧ボタンが力を受けない場合、前記第１の弾性部材は前記第１の押圧ボタンをリセットするように駆動し、前記第２の弾性部材は前記第２の押圧ボタンをリセットするように駆動し、前記引掛孔の幅が元に戻ること、を特徴とする差し込みバックル。
【請求項２】
前記第１の押圧ボタンは、第１の押圧部材と、第１の留め具とを含み、前記第１の留め具は、第１のスライドプレートと、第１のストッパと、第１の係合部材とを含み、前記第１のスライドプレートは前記収容室内に可動に限定され、前記第１のストッパは前記第１のスライドプレートの一端に固設され、前記第１の係合部材は前記第１のスライドプレートの他端に固設され、前記第２の押圧ボタンは、第２の押圧部材と、第２の留め具とを含み、前記第２の留め具は、前記第１の留め具に逆さまに設けられ、第２のスライドプレートと、第２のストッパと、第２の係合部材とを含み、前記第２のスライドプレートは前記収容室内に可動に限定され、前記第２のストッパは前記第２のスライドプレートの一端に固設され、前記第２の係合部材は前記第２のスライドプレートの他端に固設されること、を特徴とする請求項１に記載の差し込みバックル。
【請求項３】
前記第１のストッパ、前記第２の係合部材、前記第１の係合部材及び前記第２のストッパは、順に配列され、前記第１のストッパは、前記収容室の側壁に可動に限定され、前記第１の押圧部材は、前記第１のストッパに固設されて前記収容室の側壁を貫通し、前記第２のストッパは、前記収容室の他方の側壁に可動に限定され、前記第２の押圧部材は、前記第２のストッパに固設されて前記収容室の他方の側壁を貫通し、前記第１の弾性部材は一端が前記第１のストッパに接続され、他端が前記第２の係合部材に接続され、前記第２の弾性部材は一端が前記第２のストッパに接続され、他端が前記第１の係合部材に接続され、前記引掛孔は、前記第１の係合部材と前記第２の係合部材に囲まれて形成され、前記接続部は、前記挿入口を介して前記引掛孔に挿入されて第１の係合部材及び前記第２の係合部材に係合され、前記第１の押圧部材と前記第２の押圧部材を同時に押圧すると、前記第１の係合部材と前記第２の係合部材が互いに離れ、前記引掛孔の幅が増大し、前記接続部が前記第１の係合部材と前記第２の係合部材から離れること、を特徴とする請求項２に記載の差し込みバックル。
【請求項４】
前記接続部の一方の側に第１の係合溝が設けられ、他方の側に第２の係合溝が設けられ、前記第１の係合溝及び前記第２の係合溝は、いずれも係合平面及び係合斜面を有し、前記係合平面は前記接続部の側辺に垂直であり、前記係合斜面と前記係合平面は角度をなすこと、を特徴とする請求項２又は請求項３に記載の差し込みバックル。
【請求項５】
前記第１の係合部材の内側面に前記第１の係合溝に適合する第１の係合突起が設けられ、前記第２の係合部材の内側面に前記第２の係合溝に適合する第２の係合突起が設けられること、を特徴とする請求項４に記載の差し込みバックル。
【請求項６】
前記第１のストッパの内側面に第１の位置決めポストが設けられ、前記第２の係合部材の外側面に第２の位置決めポストが設けられ、前記第１の弾性部材は一端が前記第１の位置決めポストに嵌合され、他端が第２の位置決めポストに嵌合され、前記第２のストッパの内側面に第３の位置決めポストが設けられ、前記第１の係合部材の外側面に第４の位置決めポストが設けられ、前記第２の弾性部材は一端が前記第３の位置決めポストに嵌合され、他端が前記第４の位置決めポストに嵌合されること、を特徴とする請求項２又は請求項３に記載の差し込みバックル。
【請求項７】
前記バックル本体の２つの対向する側壁に第１の押圧孔と第２の押圧孔がそれぞれ設けられ、前記第１の押圧部材は前記第１の押圧孔から突出し、前記第１のストッパは前記第１の押圧孔の内側にストッピングされ、前記第２の押圧部材は前記第２の押圧孔から突出し、前記第２のストッパは前記第２の押圧孔の内側にストッピングされること、を特徴とする請求項２又は請求項３に記載の差し込みバックル。
【請求項８】
前記バックル本体は、筐体と、底部カバーとを含み、前記筐体の底部に閉蓋口が設けられ、前記底部カバーは前記閉蓋口を閉蓋し、前記底部カバーの内側面に装着位置決めポストが設けられ、前記筐体に装着位置決めポストと適合する位置決め孔が設けられること、を特徴とする請求項１〜３又は請求項５のいずれか１項に記載の差し込みバックル。
【請求項９】
前記挿入口の周縁にガイド突起が設けられ、前記接続部にガイド溝が設けられ、前記ガイド溝は前記ガイド突起と適合すること、を特徴とする請求項１〜３のいずれか１項に記載の差し込みバックル。
【請求項１０】
前記接続部の挿入端の両側にいずれも丸み部が設けられること、を特徴とする請求項１〜３のいずれか１項に記載の差し込みバックル。